(57)【要約】  【課題】蓄光材とガラスフリットとの混合物をガラス板の表面に塗布して加熱することにより、ガラス板の表面に蓄光層を形成したガラス部材が存在するが、時間の経過と共に残光輝度が低下する。したがって、本発明の目的は、残光輝度を維持ないし向上を図ることである。【解決手段】ガラス層と、ガラス層に一体的に形成される蓄光層と、蓄光層が発する残光を反射する反射層とを有する蓄光ガラス部材であり、かかる反射層は白系色の粘着材料であることが好ましく、建物用扉の把手などに形成した凹所に固着することが好ましい。【選択図】図２
2008100454.tif 000002
【特許請求の範囲】
【請求項１】
ガラス層と、ガラス層に一体的に形成される蓄光層と、蓄光層が発する残光を反射する反射層とを有する蓄光ガラス部材。
【請求項２】
前記反射層が白系色の粘着材料である請求項１記載の蓄光ガラス部材。
【請求項３】
請求項１又は２記載の蓄光ガラス部材を、脚部に形成した凹所に嵌め込んで固着した建物用扉の把手。
【請求項４】
請求項１又は２記載の蓄光ガラス部材を、本体部に形成した凹所に嵌め込んで固着し、蓄光ガラス部材の縦幅又は／及び横幅を凹所の縦幅又は／及び横幅よりも小さくした建物用扉の把手。
【請求項５】
請求項１又は２記載の蓄光ガラス部材を、複数の脚部に形成した凹所に嵌め込んで固着した手摺。
【発明の詳細な説明】
【技術分野】
【０００１】
本発明は、蓄光部材における輝度の向上に関する。
【背景技術】
【０００２】
従来、蓄光材とガラスフリットとの混合物をガラス板の表面に塗布して加熱することにより、ガラス板の表面に蓄光層を形成したガラス部材が存在しており、たとえば、路面等に敷設するガラスタイル等に利用されている。
【特許文献１】特開平９−２７８４９６号公報
【発明の開示】
【発明が解決しようとする課題】
【０００３】
しかし、時間の経過と共に残光輝度が低下するので、残光輝度を維持ないし向上することが望まれる。
【０００４】
そこで、本発明の主な目的は、蓄光ガラス部材の残光輝度を維持ないし向上することにある。
【課題を解決するための手段】
【０００５】
本発明は、ガラス層と、ガラス層に一体的に形成される蓄光層と、蓄光層が発する残光を反射する反射層とを有する蓄光ガラス部材である（請求項１）。
【０００６】
例えば、図２のように、本発明の蓄光ガラス部材は、直方体状のガラス層と、ガラス層の底面に一体的に形成された蓄光層と、蓄光層の底面に設けられた反射層を積層して構成される。したがって、太陽光や蛍光灯の光（紫外線）を吸収蓄積した蓄光層が発光すると、反射層がその光を反射するので、残光輝度の維持・向上に寄与するものとなる。反射層は輝度を向上させるため、反射率の高い材料等で構成することが好ましい。
【０００７】
反射層は、蓄光層の底面に設けられるものに限らず、ガラス層の底面に蓄光層を形成し、そのガラス層及び蓄光層の両側面に反射層を設けることもできる。また、残光輝度の向上・維持効果をより高めるためには、ガラス層の底面に蓄光層を形成し、蓄光層の底面に反射層を設けると共に、ガラス層及び蓄光層の一側面又は両側面に反射層を設けることもできる。
【０００８】
ここで、反射層は白系色の粘着材料であることが好ましい（請求項２）。すなわち、反射層に白系色の粘着材料を使用すれば、例えば、図１に示す建物用扉の把手のように、蓄光ガラス部材を利用する製品に対して容易に取り付けることができると共に、残光を吸収せずに反射する程度が高いので、本発明の効果を顕著に奏することになる。白系色の粘着材料は輝度を向上させるため、明度の高い白系色の粘着材料で構成することが好ましい。
【０００９】
かかる蓄光ガラス部材は、建物用扉の把手の脚部に利用される。すなわち、脚部に凹所を設け、該凹所に蓄光ガラス部材を嵌め込んで固着する（請求項３）。
【００１０】
これは暗闇でも出入口（建物用扉）を視認できるようにするためのものである。図５に示す建物用扉の把手は、手で握られる部分である本体部と、本体部と建物用扉とを連結する脚部とからなるところ、脚部に蓄光ガラス部材を設けているので、通常、蓄光ガラス部材が人の手によって握られることはない。従って、蓄光ガラス部材が発する残光が遮光される可能性が低いので視認可能な状態を維持できると共に、蓄光ガラス部材のガラス表面に人の手の汚れが付着することが防止されるので汚れによる輝度低下を防ぐことができる。
【００１１】
また、かかる蓄光ガラス部材は、建物用扉の把手の本体部に凹所を設け、凹所に嵌め込んで利用することもできる。蓄光ガラス部材を、本体部に形成した凹所に嵌め込んで固着し、蓄光ガラス部材の縦幅又は／及び横幅を凹所の縦幅又は／及び横幅よりも小さくした建物用扉の把手である（請求項４）。
【００１２】
例えば、図１、２のように、建物用扉の把手の本体部の一部を切り欠いて凹所を設け、該凹所に蓄光ガラス部材を嵌め込み、蓄光ガラス部材の高さ（縦幅）よりも、凹所の深さ（縦幅）を若干大きくしておき、凹所の上端に僅かな空間を設け、開口端から蓄光ガラス部材が上方に突出しないようにして、人の手との接触を出来る限り避けるようにしておくのが好ましい。このようにしておけば、外部からの衝撃によって蓄光ガラス部材が破損する可能性が小さくなるのみならず、人の手に握られる部分（本体部）ではあるものの、蓄光ガラス部材と人の手との接触が可及的に軽減されるので、上記と同様に、ガラス表面に人手の汚れが付着することが防止され、汚れによる輝度低下を防ぐことが期待できる。なお、同様に、蓄光ガラス部材の横長さ（横幅）を、凹所の横長さ（横幅）よりも小さくして、凹所の両端に僅かに空間を残すこともできる。
【００１３】
また、図１、４のように、建物用扉の把手の本体部の長手方向全長にわたって凹所を設け、該凹部とほぼ同じ全長を有する直方体状のガラス部材を該凹所に嵌め込めば、暗闇の中でも把手本体部の全長が視認できるので、使用者が建物用扉の把手をつかみ損ねる危険性が少なく、安心して使用することができる。
【００１４】
また、かかる蓄光ガラス部材は、階段や通路に使用される手摺の脚部に設けて応用される（請求項５）。
【００１５】
これは暗闇でも通路方向ないし進行方向を視認できるようにするためのものである。例えば図６のように、通路や階段に使用される手摺は、手で握る本体部と、本体部と壁面とを連結する脚部とからなるところ、手で握られない脚部に蓄光ガラス部材を設けることにより、人の手との接触による汚れが防止され、汚れによる輝度低下を防止することができる。また、手摺に手を添えながら通路等を複数人が通行する場合でも、複数の脚部に蓄光ガラス部材を設けているので、人の手によって遮光されることがなく、蓄光ガラス部材の残光を視認できる環境（すなわち通路方向ないし進行方向を把握できる環境）が維持できるので好ましい。
【００１６】
なお、本発明は、上記に限らず、ピクトグラム、タイル及びタイル目地、階段滑り止め（ノンスリップ）、コーナーガード（衝撃吸収材）、車止め・防護柵・ポールガイドなどの外構製品、玄関パネル（インターホンパネル）などに応用可能である。
【発明の効果】
【００１７】
本発明は、上述のとおり、蓄光ガラス部材における残光輝度の維持・向上に寄与するものである。
【発明を実施するための最良の形態】
【００１８】
以下、本発明を実施するための最良の形態を、実施例として示す各図と共に説明する。
【実施例１】
【００１９】
本実施例１は、図１〜図３に示すように、建物用扉の把手の一態様たるドアノブに応用した例である。略Ｌ字状に屈曲したアルミ製のドアノブは、本体部に相当する握部１０と、握部１０と座部Ｂとを連結する脚部２０とからなる。握部１０に断面コ字状の凹所１０ａが切り欠かれ、その凹所１０ａに直方体状の蓄光ガラス部材３０が嵌め込まれる。
【００２０】
蓄光ガラス部材３０は、図２に示すように、ガラス層３０ａと、蓄光層３０ｂと、反射層３０ｃとからなる。
【００２１】
ガラス層３０ａは透光性を有するガラス体であり、蓄光層３０ｂは蓄光材とガラスフリットを混合して構成される混合ガラス体である。ここで蓄光材とは、外部からの紫外線等の刺激によって発光する成分を含む材料である。また、ガラスフリットとはガラスを粉砕したガラス粉末である。蓄光層３０ｂは、ガラス層３０ａの一面に対して、蓄光材とガラスフリットの混合物を塗布した後、加熱溶着して一体的に形成される。なお、成形性を考慮して、蓄光材とガラスフリットの粒径はほぼ同じ粒径にしている。
【００２２】
反射層３０ｃは白色の接着材料で構成されるものであり、ガラス層３０ａと蓄光層３０ｂとを一体的に形成した部材を凹所１０ａに固着するためものである。重要な点は、残光を反射して残光輝度を向上・維持することにある。したがって、反射層３０ｃは、光の反射に適した材料ないし色（明度）を備えていれば良く、例えば、塩ビシートなどのシート・シール類、各種塗料、アルマイト処理等によるが、基材の両面にアクリル接着剤を塗布した白色の両面粘着テープであることが好ましい（具体的には、住友スリーエム社製構造用接合テープ・品番Ｙ‐４９２０、Ｙ‐４９０５Ｊ、Ｙ‐４９８９‐０３。積水化学工業株式会社製両面粘着テープ・品番５７０、６１０。コニシ株式会社製工業用両面テープ・品番ＷＦ７２１、ＷＦ７３１、ＷＦ１０３Ｒ。日東電工株式会社製両面接着テープ・品番５０７、５００）。本実施例でも、ガラス層３０ａとガラス層３０ａに一体的に形成された蓄光層３０ｂとからなる部材の底面に反射層たる白色の両面テープ３０ｃを貼付し、握部１０の凹所１０ａに両面テープ３０ｃを介して固着している。
【００２３】
握部１０に形成された凹所１０ａは断面コ字状であり、直方体状の握部１０の上面及び左右両側面に開口が形成される。該凹所１０ａに蓄光ガラス部材３０を嵌め込むと、蓄光ガラス部材３０はその上面と左右両側面が露出し、正面、背面および底面は握部１０に囲まれて外部に露出しない。
【００２４】
握部１０の上面と蓄光ガラス部材３０の上面とに段差ｄを形成しており、蓄光ガラス部材３０の上面高さは、握部１０の上面高さよりも低く設定される。すなわち、図２等に示すとおり、ガラス層３０ａと蓄光層３０ｂと反射層３０ｃを積層した蓄光ガラス部材３０の縦幅（高さ）を、凹所１０ａの縦幅（深さ）よりも小さくしている。このようなものであると、人が握部１０を握った場合でも蓄光ガラス部材３０に触れる可能性が小さくなり、汚れの付着による輝度低下を可及的に防止し得る。また、このように、蓄光ガラス部材３０の正面、背面および底面を握部１０で覆う共に、蓄光ガラス部材３０の上面と蓄光ガラス部材３０の上面との間に段差ｄを形成することにより、蓄光ガラス部材３０の破損防止の効果も期待できる。なお、本実施例では、この点を握部１０の側面にも適用している。すなわち、握部１０の左右側面と蓄光ガラス部材３０の側面との間に段差を形成している。ガラス層３０ａと蓄光層３０ｂと反射層３０ｃを積層した蓄光ガラス部材３０の横長さ（横幅）を、凹所１０の横長さ（横幅）よりも小さくして、凹所１０ａの両端に僅かな空間を残している。
【００２５】
このようなドアノブであれば、太陽光や蛍光灯の光（紫外線）を吸収蓄積した蓄光層３０ｂが発光すると、反射層３０ｃがその光を反射するので、残光輝度の維持・向上に寄与するものとなる。
【００２６】
なお、残光輝度の維持・向上効果をより高めるためには、ガラス層３０ａの底面に蓄光層３０ｂを形成し、ガラス層３０ａ及び蓄光層３０ｂからなる部材の底面以外の面（例えば、正面、背面、左右両側面）にも反射層３２を設けることができる。
【００２７】
また、本実施例のように、ドアノブの握部１０の長手方向全長にわたって凹所１０ａを設け、該凹部１０ａとほぼ同じ全長を有する直方体状の蓄光ガラス部材３０を該凹所１０ａに嵌め込んだ態様であれば、暗闇の中でも握部１０の全長が視認できるので、使用者が握部１０をつかみ損ねる危険性が少なく、安心して使用することができる。
【００２８】
なお、本実施例では蓄光ガラス部材を握部１０に設けたが、それと共に脚部２０に設けても良い。
【００２９】
また、本実施例では反射層が粘着層を兼ねているが、反射層と粘着層を別々に構成しても良い。
【００３０】
なお、ガラス層は、透光性を有する透光層であれば良く、ガラスではなく樹脂等で構成した蓄光部材とすることも可能である。蓄光層もガラスを含むものに限らない。
【００３１】
また、本実施例はドアノブであるが、縦長棒状のドアハンドルに応用すれば図４のようになる。この場合も同様に、蓄光ガラス部材３０を握部１０に設けたが、それと共に脚部２０にも併せて設けても良い。
【実施例２】
【００３２】
実施例２は、脚部に蓄光ガラス部材を設けた建物用扉の把手の一態様たるドアハンドルである。かかるアルミ製のドアハンドルは、図５のように、上下の脚部２１、２１´と、上脚部２１と下脚部２１´との間に位置する立方体状の本体部たる握部１１からなり、脚部２１、２１´に断面コ字状の凹所２１ａが切り欠かれ、その凹所２１ａに直方体状の蓄光ガラス部材３１が嵌め込まれる。なお、蓄光ガラス部材３１の構成は上記実施例１の蓄光ガラス部材３０と同様である。
【００３３】
上下の脚部２１、２１´は略Ｌ字状であり、ドアに接する直方体状の基部２１ｂと、基部２１ｂと握部１１を連結する連結部２１ｃとからなる。連結部２１ｃは直方体状であって断面コ字状の凹所２１ａが切り欠かれており、直方体状の連結部２１ｃの正面及び左右両側面に開口が形成される．凹所２１ａに蓄光ガラス部材３１を嵌め込むと、蓄光ガラス部材３１はその正面と左右両側面が露出し、上面、底面および背面は脚部２１、２１´に囲まれて外部に露出しない。
【００３４】
なお、図２等に示すのと同様に、ガラス層と蓄光層と反射層を積層した蓄光ガラス部材３１の奥行（縦幅）を、凹所２１ａの奥行（縦幅）よりも小さくし、また、蓄光ガラス部材３１の長さ（横幅）を、凹所２１ａの長さ（横幅）よりも小さくし、段差を設けている。
【００３５】
このようなドアハンドルであれば、太陽光や蛍光灯の光（紫外線）を吸収蓄積した蓄光層３１が発光すると、反射層がその光を反射するので、残光輝度の維持・向上に寄与するものとなる。
【００３６】
そして、脚部２１、２１´に蓄光ガラス部材３１を設けているので、蓄光ガラス部材３１が人の手によって握られることはない。従って、残光が遮光される可能性が低く、視認可能な状態を維持できると共に、蓄光ガラス部材３１のガラス表面に人手の汚れが付着することが防止され、汚れによる輝度低下を防ぐことができる。
【００３７】
また、本実施例のように、ドアハンドルの上下脚部２１、２１´に凹所２１ａを設け、該凹所２１ａに蓄光ガラス部材３１を嵌め込むと、暗闇の中でも握部１１の範囲（上脚部２１から下脚部２１´までの範囲）が視認できるので、使用者が握部１１をつかみ損ねる危険性が少なく、安心して使用することができる。
【００３８】
なお、本実施例では蓄光ガラス部材３１を脚部２１に設けたが、それと共に握部１１に併せて設けても良い。
【実施例３】
【００３９】
実施例３は、脚部に蓄光ガラス部材を設けた手摺の一態様たる階段手摺である。かかる階段手摺は、図６のように、複数の脚部２２と、本体部たる握部１２からなり、脚部２２に断面コ字状の凹所２２ａが切り欠かれ、その凹所２２ａに直方体状の蓄光ガラス部材３２が嵌め込まれる。なお、蓄光ガラス部材３２の構成は上記実施例１の蓄光ガラス部材３０と同様である。
【００４０】
脚部２２は薄板状の支持部材であり、断面コ字状の凹所２２ａが切り欠かれており、脚部２２の正面及び左右両側面に開口が形成される。該凹所２２ａに蓄光ガラス部材３２を嵌め込むと、蓄光ガラス部材３２はその正面と左右両側面が露出し、上面、底面および背面は脚部２２に囲まれて外部に露出しない。
【００４１】
このような階段手摺であれば、太陽光や蛍光灯の光（紫外線）を吸収蓄積した蓄光層が発光すると、反射層がその光を反射するので、残光輝度の維持・向上に寄与するものとなる。
【００４２】
そして、脚部２２に蓄光ガラス部材３２を設けているので、蓄光ガラス部材３２が人の手によって握られることはない。従って、残光が遮光される可能性が低く、視認可能な状態を維持できると共に、蓄光ガラス部材３２のガラス表面に人手の汚れが付着することが防止され、汚れによる輝度低下を防ぐことができる。
また、本実施例のように、複数の脚部２２のそれぞれに蓄光ガラス部材３２を設けると、手摺に手を添えながら通路等を複数人が通行する場合でも、人の手によって遮光されることがなく、蓄光ガラス部材３２の残光が遮断され難いので、良好な使用環境が保たれる。
【００４３】
なお、本実施例では蓄光ガラス部材３２を脚部２２に設けたが、それと共に握部１２に併せて設けても良い。
【図面の簡単な説明】
【００４４】
【図１】本発明の実施例を示す斜視図。
【図２】本発明の実施例を示す断面図（Ａ−Ａ線）。
【図３】本発明の実施例の分解斜視図。
【図４】本発明の実施例の斜視図。
【図５】本発明の実施例の斜視図。
【図６】本発明の実施例の斜視図。
【符号の説明】
【００４５】
１０、１１、１２  本体部（握部）
２０、２１、２２  脚部
３０、３１、３２  蓄光ガラス部材
３０ａ  ガラス層
３０ｂ  蓄光層
３０ｃ  反射層
【図１】
2008100454.tif 000003
【図２】
2008100454.tif 000004
【図３】
2008100454.tif 000005
【図４】
2008100454.tif 000006
【図５】
2008100454.tif 000007
【図６】
2008100454.tif 000008